(57)【要約】      （修正有）【課題】複数の機能の一つを選択するための操作部を有する撮影装置において、操作部によって選択される機能の割り当てを変更可能な場合においても、操作部によってどの機能が選択可能かを把握し易い撮影装置を提供する。【解決手段】撮影装置を、複数の機能が割り当てられており、複数の機能の一つを選択するための第１操作部と、第１操作部に割り当てられている複数の機能のうち、少なくとも一部の機能を変更する機能割当変更部と、表示部４６と、表示部４６に、第１操作部を用いて選択されている機能を示す情報、及び、第１操作部を用いて選択されていない少なくとも一つの機能を示す情報を識別可能に表示する表示制御部と、から構成する。【選択図】図４
2018116237.tif 000002
【特許請求の範囲】
【請求項１】
複数の機能が割り当てられており、該複数の機能の一つを選択するための第１操作部と、
前記第１操作部に割り当てられている前記複数の機能のうち、少なくとも一部の機能を変更する機能割当変更部と、
表示部と、
前記表示部に、前記第１操作部を用いて選択されている機能を示す情報、及び、該第１操作部を用いて選択されていない少なくとも一つの機能を示す情報を識別可能に表示する表示制御部と、
を備える、
撮影装置。
【請求項２】
前記第１操作部を用いて選択された機能の設定値を選択するための第２操作部を更に備える、
請求項１に記載の撮影装置。
【請求項３】
前記表示制御部は、前記表示部に、前記第２操作部を用いて選択されている設定値を示す情報を表示する、
請求項２に記載の撮影装置。
【請求項４】
前記表示制御部は、前記表示部に、前記第２操作部を用いて選択されている設定値を示す情報及び該第２操作部を用いて選択されていない少なくとも一つの設定値を示す情報を識別可能に表示する、
請求項２又は請求項３に記載の撮影装置。
【請求項５】
前記第１操作部に割り当てられる前記複数の機能は、前記第２操作部に対する操作を無効にする無効化機能を含む、
請求項２から請求項４の何れか一項に記載の撮影装置。
【請求項６】
前記表示制御部は、前記表示部に、前記第２操作部が操作されると、前記第１操作部を用いて選択されている機能を示す情報、該第１操作部を用いて選択されていない少なくとも一つの機能を示す情報、及び、前記第２操作部を用いて選択されている設定値を示す情報を表示する、
請求項２から請求項５の何れか一項に記載の撮影装置。
【請求項７】
前記表示制御部は、前記表示部に、前記第１操作部が操作されると、前記第１操作部を用いて選択されている機能を示す情報と、該第１操作部を用いて選択されていない少なくとも一つの機能を示す情報と、を所定時間だけ表示する、
請求項１から請求項６の何れか一項に記載の撮影装置。
【請求項８】
前記表示制御部は、前記撮影装置に対して所定の操作が行われると、前記表示部に表示されている前記第１操作部を用いて選択されている機能を示す情報及び該第１操作部を用いて選択されていない少なくとも一つの機能を示す情報を非表示にする、
請求項１から請求項７の何れか一項に記載の撮影装置。
【請求項９】
前記表示部と前記第１操作部は、前記撮影装置の筐体の互いに異なる面に配置されている、
請求項１から請求項８の何れか一項に記載の撮影装置。
【請求項１０】
前記第１操作部は、回転可能な円柱状又は円盤上のダイヤルであり、
前記第１操作部が回転されると、前記複数の機能のうち、選択される機能が切り替わる、
請求項１から請求項９の何れか一項に記載の撮影装置。
【発明の詳細な説明】
【技術分野】
【０００１】
本発明は、撮影装置に関する。
【背景技術】
【０００２】
撮影装置において、撮影装置の有する機能の一つや、当該機能の設定値を選択するための操作部を有する構成が知られている。
【０００３】
例えば特許文献１に、この種の撮影装置の具体的構成が記載されている。特許文献１では、撮影装置に設けられた操作部の天面に撮影装置の複数の機能（動作モード）を示す記号がプリントされている。ユーザが操作部を回転させて動作モードの一つを選択すると、撮影装置の背面に設けられた表示部に、選択された動作モードを示す情報が表示される。これにより、操作部で選択された動作モードが表示部で確認可能となる。
【先行技術文献】
【特許文献】
【０００４】
【特許文献１】特開２００４−８５６７０号公報
【発明の概要】
【発明が解決しようとする課題】
【０００５】
特許文献１では、操作部に割り当てられている選択可能な機能が固定されている。そのため、ユーザは、所望の機能が操作部に割り当てられていなかった場合、機能を選択するためのメニュー画面を表示部に表示させた上で当該機能を選択する必要があり、撮影装置の操作性が悪かった。これに対し、操作部に割り当てられる機能を変更することが可能な撮影装置が知られている。この場合、所望の機能を使用するためにメニュー画面を表示させる必要がなくなる。しかし、操作部の天面にプリントされた記号を、割り当てる機能を変更するたびに書き換えることは難しい。そのため、ユーザは、操作部を用いて所望の機能を選択する場合は、操作部にどの機能が割り当てられているかを記憶しておく必要がある。
【０００６】
本発明は上記の事情に鑑みてなされたものであり、その目的とするところは、複数の機能の一つを選択するための操作部を有する撮影装置において、操作部によって選択される機能の割り当てを変更可能な場合においても、操作部によってどの機能が選択可能かを把握し易い撮影装置を提供することである。
【課題を解決するための手段】
【０００７】
本発明の一実施形態に係る撮影装置は、複数の機能が割り当てられており、複数の機能の一つを選択するための第１操作部と、第１操作部に割り当てられている複数の機能のうち、少なくとも一部の機能を変更する機能割当変更部と、表示部と、表示部に、第１操作部を用いて選択されている機能を示す情報、及び、第１操作部を用いて選択されていない少なくとも一つの機能を示す情報を識別可能に表示する表示制御部と、を備える。
【発明の効果】
【０００８】
本発明の一実施形態によれば、複数の機能の一つを選択するための操作部を有する撮影装置において、操作部によって選択される機能の割り当てを変更可能な場合においても、操作部によってどの機能が選択可能かを把握し易い撮影装置が提供される。
【図面の簡単な説明】
【０００９】
【図１】本発明の一実施形態に係る撮影装置の構成を示すブロック図である。
【図２】本発明の一実施形態に係る撮影装置の正面図、背面図、上面図である。
【図３】本発明の一実施形態に係るＬＣＤの表示画面に表示される画像の例である。
【図４】本発明の一実施形態に係る機能選択ダイヤルが操作された場合のＬＣＤの表示画面に表示される画像の例である。
【図５】本発明の一実施形態に係る設定選択ダイヤルが操作された場合のＬＣＤの表示画面に表示される画像の例である。
【図６】本発明の一実施形態に係る撮影装置の機能選択ダイヤル及び設定選択ダイヤルの操作時の処理のフローチャートの一例である。
【発明を実施するための形態】
【００１０】
以下、本発明の一実施形態に係る撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００１１】
図１は、本発明の一実施形態に係る撮影装置１の構成を示すブロック図である。図１に示されるように、撮影装置１は、撮影レンズ系１０（撮影レンズ１１及び１２）を備えている。撮影レンズ１１と撮影レンズ１２との間には絞り１３が配置されている。撮影レンズ系１０の後方には、ミラー１４が配置されている。ミラー１４はハーフミラーであり、ハーフミラー面が撮影レンズ系１０の光軸ＡＸに対して約４５°をなす姿勢で配置されている。
【００１２】
被写体からの光束（被写体光束）は、撮影レンズ系１０を透過してミラー１４に入射される。ミラー１４の後方には、ミラー１４側から順に、フォーカルプレーンシャッタ１５、固体撮像素子１６が配置されている。ミラー１４の上方には、光学ファインダ２０が配置されている。光学ファインダ２０は、ペンタプリズム１７、拡散板１８、接眼レンズ１９を備えている。ミラー１４の上方には、ミラー１４側から順に、拡散板（焦点板又はピント板）１８、ペンタプリズム１７が配置されている。
【００１３】
ミラー１４に入射された被写体光束の一部はミラー１４により反射され、拡散板１８を介してペンタプリズム１７に入射される。拡散板１８は、固体撮像素子１６の撮像面と等価な位置に配置されている。そのため、拡散板１８には、撮影レンズ系１０を通過した被写体光束が結像する。ペンタプリズム１７は、複数の反射面を持ち、拡散板１８に結像して入射した被写体像を各反射面で反射させることで正立像とし、接眼レンズ１９に向けて射出する。接眼レンズ１９は、拡散板１８上に結像されてペンタプリズム１７により正立化された被写体像を、撮影者の観察に適する虚像に再結像する。これにより、撮影者は、接眼レンズ１９を覗くことで被写体像を観察することができる。
【００１４】
操作部３２には、電源スイッチ３２ａやレリーズスイッチ３２ｂ、操作キー３２ｃなど、ユーザが撮影装置１を操作するために必要な各種操作部が含まれる（図２参照）。ユーザにより電源スイッチ３２ａが押されると、図示省略されたバッテリから撮影装置１の各種回路に電源ラインを通じて電源供給が行われる。ＣＰＵ（Central Processing Unit）３１は電源供給後、所定のメモリ領域（不図示）にアクセスして制御プログラムを読み出してワークエリアにロードし、ロードされた制御プログラムを実行することにより、撮影装置１全体の制御を行う。
【００１５】
機能選択ダイヤル３３及び設定選択ダイヤル３４は、ユーザによって操作されるダイヤルであり、撮影装置１の各機能の選択及び各機能の設定値の選択を行うために使用される。
【００１６】
ＣＰＵ３１は、固体撮像素子１６により撮像された画像に基づいて計算された測光値や測光センサ２６で測定された測光値に基づき適正露出が得られるように、絞り駆動回路２２を介して絞り１３を駆動制御する。
【００１７】
レリーズスイッチ３２ｂが半押し操作されると、ＣＰＵ３１は、ＡＦ（Autofocus）センサ２５の検出結果に基づきレンズ制御回路２１を介して、光軸ＡＸ上における撮影レンズ１１と撮影レンズ１２の位置及び位置関係を制御する。これにより、撮影レンズ系１０の合焦状態が調整される。次いで、レリーズスイッチ３２ｂが全押し操作されると、ＣＰＵ３１は、シャッタ駆動回路２４を介してフォーカルプレーンシャッタ１５を駆動制御すると共にミラー１４をクイックリターンさせる。すなわち、ＣＰＵ３１は、フォーカルプレーンシャッタ１５の先幕走行開始直前から後幕走行終了直後の期間に限り、ミラー駆動回路２３を介してミラー１４をアップすることにより、撮影レンズ系１０の光軸ＡＸと平行な光路からミラー１４を退避させる。
【００１８】
撮影レンズ系１０を透過した被写体光束は、フォーカルプレーンシャッタ１５が開いている期間中、固体撮像素子１６の撮像面上で結像される。固体撮像素子１６は、例えばＣＭＯＳ（Complementary Metal Oxide Semiconductor）イメージセンサであり、撮像面上の各画素で結像した光学像を光量に応じた電荷として蓄積する。固体撮像素子１６は、蓄積された電荷をフローティングディフュージョンアンプにて電圧（ここでは「画素信号」と記す。）に変換し、変換された画素信号をＡ／Ｄ変換回路２７に出力する。Ａ／Ｄ変換回路２７は、入力された画素信号をＡ／Ｄ変換してＤＳＰ（Digital Signal Processor）４１に出力する。
【００１９】
ＤＳＰ４１は、固体撮像素子１６の電荷蓄積動作及び画素信号の読み出し動作を制御すると共に、Ａ／Ｄ変換回路２７より入力される画素信号に対して所定の信号処理を施す。具体的には、ＤＳＰ４１は、Ａ／Ｄ変換回路２７より入力される画素信号に対して色補間、マトリックス演算、Ｙ／Ｃ分離等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ４２は、例えば、ＤＳＰ４１による処理の実行時、処理データの一時的な保存場所として用いられる。
【００２０】
カードインタフェース４３のカードスロットにはメモリカード５０が着脱可能に装填される。ＤＳＰ４１は、カードインタフェース４３を介してメモリカード５０と通信可能である。ＤＳＰ４１は、生成された圧縮画像信号（撮影画像データ）をメモリカード５０（又は撮影装置１に備えられる不図示の内蔵メモリ）に保存する。
【００２１】
また、ＤＳＰ４１は、Ｙ／Ｃ分離後の信号に所定の信号処理を施して、フレームメモリ（不図示）にフレーム単位でバッファリングする。ＤＳＰ４１は、バッファリングされた信号を所定のタイミングで各フレームメモリから掃き出して所定のフォーマットのビデオ信号に変換し、モニタインタフェース４４を介してＬＣＤ制御回路４５に出力する。ＬＣＤ制御回路４５は、ＤＳＰ４１より入力される撮影画像データを基にＬＣＤ４６を表示制御する。これにより、被写体の撮影画像がＬＣＤ４６の表示画面に表示される。ユーザは、適正なピントで撮影された適正な輝度のリアルタイムのスルー画をＬＣＤ４６の表示画面を通じて視認することができる。
【００２２】
図２（ａ）は撮影装置１の正面図を示し、図２（ｂ）は撮影装置１の背面図を示し、図２（ｃ）は撮影装置１の上面図を示す。撮影装置１の筐体１００の正面には撮影レンズ系１０が配置され、背面にはＬＣＤ４６や接眼レンズ１９が配置される。
【００２３】
撮影装置１の筐体１００の上面及び背面には、操作部３２を構成する各種操作部が設けられている。具体的には、撮影装置１の筐体１００の背面には、図２（ｂ）に示されるように、操作キー３２ｃの一部である上下左右の方向キーやボタンが設けられている。撮影装置１の筐体１００の上面には、図２（ｃ）に示されるように、電源スイッチ３２ａやレリーズスイッチ３２ｂが設けられている。
【００２４】
撮影装置１の筐体１００には、機能選択ダイヤル３３及び設定選択ダイヤル３４が設けられている。機能選択ダイヤル３３及び設定選択ダイヤル３４は、回転可能な円柱状（又は円盤状）のダイヤルである。機能選択ダイヤル３３及び設定選択ダイヤル３４はそれぞれ、ユーザの指等で回転操作されたときに周知のクリック機構により回転時にクリック感が得られるようになっている。また、機能選択ダイヤル３３及び設定選択ダイヤル３４はそれぞれ、所定の回転角度毎に回転及び回転停止可能に筐体１００に支持されている。機能選択ダイヤル３３及び設定選択ダイヤル３４は、ユーザが筐体１００を保持しながら指で操作し易いように、筐体１００の上部に設けられている。
【００２５】
図３（ａ）〜図３（ｃ）は、撮影待機状態（レリーズスイッチ３２ｂが操作されるのを待っている状態）において、ＬＣＤ４６の表示画面に表示される画像の例を示す。図３（ａ）は、スルー画６０のみが表示画面に表示されている状態を示す。図３（ｂ）は、スルー画６０に露出値、ＩＳＯ感度、シャッタースピード、撮影レンズ系１０のＦ値等の各種設定値を重畳させた画像が表示画面に表示されている状態を示す。図３（ｃ）は、各種設定値のみが表示画面に表示され、スルー画６０が非表示となっている状態を示す。ＬＣＤ４６の表示画面に、図３（ａ）〜図３（ｃ）に示す何れの画像を表示させるかは、ユーザによる操作部３２への操作に応じて切り替え可能である。また、ＬＣＤ４６の表示画面に表示される画像は、図３（ａ）〜図３（ｃ）に示す例に限定されない。ＬＣＤ４６の表示画面に、いずれの設定値を表示させるかは、ユーザ操作に応じて変更可能である。また、ＬＣＤ４６の表示画面には、撮影装置１の各種設定を行う設定画面や、メモリカード５０（又は撮影装置１に備えられる不図示の内蔵メモリ）に保存されている画像等を表示させることが可能である。
【００２６】
＜機能選択ダイヤル３３の操作時の処理＞
機能選択ダイヤル３３は、撮影時の各種機能を選択するために使用される。機能選択ダイヤル３３の天面（上面）には、各種機能を表す記号（例えば、文字列）が回転方向に並べてプリントされている。機能選択ダイヤル３３の隣には、指標３３ａが設けられている。機能選択ダイヤル３３は、周知のクリック機構により、天面にプリントされた各記号が指標３３ａと隣り合う位置で回転停止可能である。機能選択ダイヤル３３が回転され、天面の何れかの記号が指標３３ａと隣り合うと、当該記号に対応する機能が選択される。
【００２７】
図２（ｃ）に、機能選択ダイヤル３３の天面にプリントされる記号の一例が示されている。図２（ｃ）において、「ＡＦ」はオートフォーカス機能を示し、「ＡＥ」は測光機能を示し、「ＷＢ」はホワイトバランス調整機能を示す。「Ｃ１」〜「Ｃ３」がプリントされているポジションには、ユーザによって割り当てる機能を選択可能である。ポジション「Ｃ１」〜「Ｃ３」に割り当て可能な機能は、例えば、露出の調整機能、ＩＳＯ感度を調整する機能、ＨＤＲ（High Dynamic Range）撮影機能、撮影画像の彩度やコントラストを変更する画像調整機能、撮影画像の高周波成分を抑制して撮影画像に含まれるノイズやモアレを抑制するローパスフィルタ機能、屋内外でＬＣＤの輝度を変化させるＬＣＤ輝度調整機能などがあるが、これらに限定されない。また、ポジション「Ｃ１」〜「Ｃ３」に割り当てられる機能は、操作部３２に対する操作によって変更可能である。
【００２８】
なお、図２（ｃ）に示す例では、機能選択ダイヤル３３により、６つの機能のうちの何れかを選択可能であるが、本実施形態はこの構成に限定されない。例えば、機能選択ダイヤル３３を用いて、２つ以上の複数の機能の何れかを選択可能であればよく、選択可能な機能数は６つに限定されない。また、図２（ｃ）に示す例では、機能選択ダイヤル３３を用いて選択可能な機能のうち、３つの機能（ポジション「ＡＦ」、「ＡＥ」、「ＷＢ」に対応する機能）が固定されており、残る３つの機能（ポジション「Ｃ１」〜「Ｃ３」に割り当てられた機能）が変更可能であるが、本発明はこの構成に限定されない。例えば、機能選択ダイヤル３３の全てのポジションに割り当てられる機能が変更可能であってもよい。
【００２９】
図４（ａ）は、ＬＣＤ４６の表示画面に図３（ａ）に示すスルー画６０のみが表示されていた状態で、機能選択ダイヤル３３が操作された場合のＬＣＤ４６の表示画面に表示される画像の例を示す。図４（ａ）に示す例では、機能選択ダイヤル３３が操作されてオートフォーカス機能が選択されている。
【００３０】
機能選択ダイヤル３３が操作されると、ＬＣＤ４６の表示画面中の下側に、機能ガイド６５が表示される。機能ガイド６５には、機能選択ダイヤル３３によって選択可能な機能を示す情報の一覧が含まれる。また、機能ガイド６５には、機能選択ダイヤル３３を用いて現在選択されている機能を示す情報が強調して表示される。図４（ａ）に示す例では、機能ガイド６５に、オートフォーカス機能を示す「ＡＦ」、測光機能を示す「ＡＥ」、ホワイトバランス調整機能を示す「ＷＢ」、ポジション「Ｃ１」〜「Ｃ３」に割り当てられた機能を示す情報が表示されている。また、図４（ａ）に示す例では、ポジション「Ｃ１」に露出調整機能、ポジション「Ｃ２」にＩＳＯ感度調整機能、ポジション「Ｃ３」にＨＤＲ撮影機能が割り当てられている。そのため、機能ガイド６５には、露出調整機能を示す情報「＋／−」が「Ｃ１」と共に表示され、ＩＳＯ感度調整機能を示す情報「ＩＳＯ」が「Ｃ２」と共に表示され、ＨＤＲ撮影機能を示す情報「ＨＤＲ」が「Ｃ３」と共に表示される。また、機能選択ダイヤル３３を用いてオートフォーカス機能が選択されているため、機能ガイド６５では、オートフォーカス機能を示す情報「ＡＦ」が、枠線６７で囲われることによって強調されている。
【００３１】
なお、機能ガイド６５に表示される選択可能な機能を示す情報は、図４（ａ）に示されるような文字列に限定されない。これらの情報は、各機能を示す図（アイコン）であってもよい。また、選択されている機能を示す情報の強調方法は、強調する情報を枠線６７で囲う方法に限定されない。機能ガイド６５には、選択されている機能を示す情報と選択されていない機能を示す情報とが識別可能に表示されていればよい。例えば、選択されている機能を示す情報は、選択されていない機能を示す情報と色や大きさを異ならせることによって強調されてもよい。
【００３２】
また、機能選択ダイヤル３３が操作されると、ＬＣＤ４６の表示画面中の上側に、選択されている機能（図４（ａ）に示す例では、オートフォーカス機能）の現在の設定値６８が表示される。図４（ａ）に示す例では、オートフォーカス機能の設定値が「スポット」に設定されている。オートフォーカス機能の設定値が「スポット」に設定されると、撮影画像のうち、撮影画像の中心付近がオートフォーカス機能によるフォーカス調整の対象領域となる。
【００３３】
図４（ａ）に示すように、ＬＣＤ４６の表示画面に機能ガイド６７及び設定値６８が表示されている状態で機能選択ダイヤル３３を回転させると、機能選択ダイヤル３３の回転方向に応じて、選択される機能が順次切り替わる。そして、選択される機能が切り替わる毎に、枠線６７が移動して機能ガイド６５において選択された機能を示す情報のみが強調表示されると共に、当該選択された機能の現在の設定値６８が表示される。
【００３４】
また、機能ガイド６５には、機能選択ダイヤル３３を用いて選択可能な機能を示す情報の全てが同時に表示されていなくてもよい。図４（ｂ）は、機能ガイド６５の別の表示方法を示す例である。図４（ｂ）に示す例では、機能選択ダイヤル３３を用いて、オートフォーカス機能、測光機能、ホワイトバランス調整機能、及び、４つのポジション「Ｃ１」〜「Ｃ４」に割り当てられた機能を選択可能である。この例では、図４（ａ）に示す例よりも、選択可能な機能の数が多いため、機能ガイド６５に全ての機能を示す情報を表示すると、各情報の表示が小さくなる、或いは、機能ガイド６５の表示範囲が大きくなり、ユーザにとって機能ガイド６５やスルー画６０が見辛くなってしまう虞がある。そのため、図４（ｂ）に示す例では、機能ガイド６５に、一部の機能を示す情報のみが表示される。この場合、機能選択ダイヤル３３が操作されて、選択された機能が変更されると、枠線６７は移動せず、各機能を示す情報が左右方向にスクロールし、選択された機能を示す情報が枠線６７内に移動する。
【００３５】
＜設定選択ダイヤル３４の操作時の処理＞
設定選択ダイヤル３４は、機能選択ダイヤル３３で選択された機能の設定値を選択するために使用される。設定選択ダイヤル３４によって選択される設定値は、機能選択ダイヤル３３で選択されている機能に応じて変化する。そのため、設定選択ダイヤル３４の天面には、設定値を示す記号はプリントされていない。
【００３６】
例えば、機能選択ダイヤル３３を用いて、オートフォーカス機能が選択されている場合、設定選択ダイヤル３４を用いて、撮影画像のうち、オートフォーカス機能によってフォーカス調整の対象領域が選択可能となる。詳しくは、設定選択ダイヤル３４を回転させると、フォーカス調整の対象領域を、撮影画像の中心付近とするか、ユーザによって指定された所定の領域とするか、人物の顔を検出して、その顔を対象領域とするか等が切り替わる。
【００３７】
設定選択ダイヤル３４によって設定値が変更されると、ＬＣＤ４６の表示画面中の上側に、変更された設定値６８が表示される。図５（ａ）は、設定選択ダイヤル３４が回転されてオートフォーカス機能の設定値が変更された場合のＬＣＤ４６の表示画面に表示される画像の例を示す。例えば、設定選択ダイヤル３４を用いて、フォーカス調整の対象領域として、撮影画像の中心付近が選択された場合は「スポット」、ユーザによって指定された所定の領域が選択された場合は「エリア」、検出された顔が選択された場合は「顔検出」と表示画面に表示される。なお、表示画面に表示される設定値６８は、文字列ではなく、設定値を示す図（アイコン）であってもよい。
【００３８】
図５（ａ）に示す例では、ＬＣＤ４６の表示画面の上側にオートフォーカス機能の設定値６８が表示され、ＬＣＤ４６の表示画面の下側に機能ガイド６５が表示されているが、本実施形態はこれに限定されない。例えば、設定選択ダイヤル３４が操作されている間は選択されている機能は変更されないため、図５（ｂ）に示すように、表示画面には選択されている設定値６８及び選択されている機能を示す情報６９が表示されてもよい。この場合、選択されていない機能を示す情報を含む機能ガイド６５は表示されない。或いは、設定選択ダイヤル３４が操作されている間は、図５（ｃ）に示すように、ＬＣＤ４６の表示画面に選択されている設定値６８が表示され、選択されている機能や機能ガイド６５は表示されなくてもよい。このように、機能選択ダイヤル３３を操作した場合と、設定選択ダイヤル３４を操作した場合とで、表示画面の機能や設定値の表示の仕方を変えることにより、ユーザは、ＬＣＤ４６の表示画面を見ることによって、現在、機能選択ダイヤル３３と設定選択ダイヤル３４のどちらが操作されているかを把握することができる。
【００３９】
また、図５（ａ）に示す例では、ＬＣＤ４６の表示画面の上側には、現在選択されている設定値６８のみが表示されるが、本実施形態はこれに限定されない。例えば、ＬＣＤ４６の表示画面の上側には、図５（ｄ）に示すように、設定選択ダイヤル３４が操作されている間、設定選択ダイヤル３４を用いて選択可能な複数の設定値を示す情報７０が表示されると共に、現在選択されている設定値を示す情報のみが枠線６６で囲われて強調表示されてもよい。これにより、ユーザは、選択可能な設定値を容易に把握することができる。なお、図５（ｄ）に示す選択可能な複数の設定値を示す情報７０は、設定選択ダイヤル３４の操作時だけでなく、機能選択ダイヤル３３の操作時に表示されてもよい。
【００４０】
また、機能選択ダイヤル３３を用いて選択されている機能によっては、設定選択ダイヤル３４が操作されたとしても、現在の設定値６８が表示されなくてもよい。例えば、図３（ｂ）又は図３（ｃ）に示すように、設定選択ダイヤル３４が操作される前の状態で、ＬＣＤ４６の表示画面に各種設定値が既に表示されている場合、既に表示されている設定値と同一の内容である設定値６８は表示されなくてもよい。この場合、例えば、設定選択ダイヤル３４によってＩＳＯ感度の設定値が変更されると、ＬＣＤ４６の表示画面の上側にＩＳＯ感度の設定値が表示されることなく、既に表示されているＩＳＯ感度の設定値が変更される。
【００４１】
図６は、機能選択ダイヤル３３及び設定選択ダイヤル３４の操作時の撮影装置１の処理のフローチャートの一例を示す図である。
【００４２】
［図６のＳ１（電源スイッチ３２ａの操作判定）］
本処理ステップＳ１では、電源スイッチ３２ａが操作され、撮影装置１の電源をオフにするように電源スイッチ３２ａが操作されたか否かが判定される。
【００４３】
［図６のＳ２（電源オフ処理）］
本処理ステップＳ２は、処理ステップＳ１にて撮影装置１の電源をオフにする操作が行われたと判定された場合（Ｓ１：ＹＥＳ）に実行される。本処理ステップＳ２では、撮影装置１の電源がオフにされて、本フローチャートの処理が終了する。
【００４４】
［図６のＳ３（機能選択ダイヤル３３の操作判定）］
本処理ステップＳ３は、処理ステップＳ１にて撮影装置１の電源をオフにする操作が行われていないと判定された場合（Ｓ１：ＮＯ）に実行される。本処理ステップＳ３では、機能選択ダイヤル３３が操作されたか否かが判定される。
【００４５】
［図６のＳ４（機能ガイド６５の表示判定）］
本処理ステップＳ４は、処理ステップＳ３にて機能選択ダイヤルが操作されたと判定された場合（Ｓ３：ＹＥＳ）に実行される。本処理ステップＳ４では、ＬＣＤ４６の表示画面に機能ガイド６５が表示されているか否かが判定される。
【００４６】
［図６のＳ５（機能ガイド６５表示処理）］
本処理ステップＳ５は、処理ステップＳ４にてＬＣＤ４６の表示画面に機能ガイド６５が表示されていないと判定された場合（Ｓ４：ＮＯ）に実行される。本処理ステップＳ５では、図４（ａ）又は図４（ｂ）に示すように、ＬＣＤ４６の表示画面の下側に、機能ガイド６５が表示される。また、機能ガイド６５に含まれる複数の機能のうち、現在選択されている機能が強調表示される。更に、ＬＣＤ４６の表示画面の上側に、現在選択されている機能の設定値６８が表示される。
【００４７】
［図６のＳ６（タイマー開始処理）］
本処理ステップＳ６では、タイマー処理が開始されて、処理ステップＳ１に戻る。本実施形態では、タイマー処理によってカウントされる時間は３秒間である。なお、この３秒間は、カウント時間の一例であり、本実施形態のカウント時間はこれに限定されない。例えば、カウント時間は、３秒間以外の時間であってもよい。或いは、カウント時間は、ユーザ操作によって変更可能であってもよい。
【００４８】
本実施形態では、機能ガイド６５が表示された後、機能選択ダイヤル３３や設定選択ダイヤル３４、各操作部３２に対する操作が行われない限り、タイマーのカウント中は機能ガイド６５及び設定値６８が表示され続ける。そして、３秒間のカウントが終了すると、機能ガイド６５及び設定値６８は非表示となる。このように、３秒間というユーザが認識可能な期間だけ機能ガイド６５及び設定値６８を表示し続けることにより、ユーザは、現在選択されている機能及びその設定値を把握することができる。また、３秒間の経過後に機能ガイド６５及び設定値６８を非表示とすることにより、ＬＣＤ４６の表示画面に表示されているスルー画６０や各種設定値が見辛くなることを防止できる。
【００４９】
［図６のＳ７（タイマーリセット処理）］
本処理ステップＳ７は、処理ステップＳ４にてＬＣＤ４６の表示画面に機能ガイド６５が表示されていると判定された場合（Ｓ４：ＹＥＳ）に実行される。本処理ステップＳ７では、カウント中のタイマーがリセットされ、再度、３秒間のカウントが開始される。タイマーのカウント中は、機能ガイド６５及び設定値６８が表示され続ける。このタイマーのリセット処理により、機能ガイド３５及び設定値６８の表示時間が延長される。タイマーがリセットされた後、処理ステップＳ１に戻る。
【００５０】
［図６のＳ８（設定選択ダイヤル３４の操作判定）］
本処理ステップＳ８は、処理ステップＳ３にて機能選択ダイヤル３３が操作されていないと判定された場合（Ｓ３：ＮＯ）に実行される。本処理ステップＳ８では、設定選択ダイヤル３４が操作されたか否かが判定される。
【００５１】
［図６のＳ９（機能ガイド６５の表示要否の判定）］
本処理ステップＳ９は、処理ステップＳ８にて設定選択ダイヤル３４が操作されたと判定された場合（Ｓ８：ＹＥＳ）に実行される。本処理ステップＳ９では、機能ガイド６５及び設定値６８の表示の要否が判定される。機能ガイド６５及び設定値６８の表示の要否は、機能選択ダイヤル３３を用いて選択されている機能、及び、ＬＣＤ４６に表示されている画面に基づいて判定される。
【００５２】
処理ステップＳ９では、ＬＣＤ４６の表示画面に機能ガイド６５及び設定値６８が表示されていない状態において、表示画面に選択されている機能の設定値が表示されていない場合（例えば、表示画面が図３（ａ）に示す状態である場合）に、機能ガイド６５及び設定値６８の表示が必要であると判定される（Ｓ９：ＹＥＳ）。機能ガイド６５及び設定値６８の表示が必要であると判定（Ｓ９：ＹＥＳ）されると、処理ステップＳ４に進む。これにより、機能ガイド６５及び設定値６８が表示されていない場合は（Ｓ４：ＮＯ）、処理ステップＳ５で機能ガイド６５及び設定値６８が表示される。また、すでに機能ガイド６５及び設定値６８が表示されていた場合は（Ｓ４：ＹＥＳ）は、処理ステップＳ７で機能ガイド６５及び設定値６８の表示が延長される。
【００５３】
図３（ａ）に示すように、ＬＣＤ４６の表示画面に機能ガイド６５及び設定値６８が表示されていない状態において、ＬＣＤ４６の表示画面にスルー画６０のみが表示されている場合、ユーザは、ＬＣＤ４６の表示画面を見ても、選択されている機能の現在の設定値を把握することができない。この場合は、処理ステップＳ９で機能ガイド６５及び設定値６８の表示が必要であると判定され、機能ガイド６５及び設定値６８が表示（Ｓ５）、或いは、機能ガイド６５の表示が延長される（Ｓ７）。これにより、ユーザは、現在選択されている機能の現在の設定値を把握することができる。
【００５４】
また、図３（ｂ）に示すように、ＬＣＤ４６の表示画面に機能ガイド６５及び設定値６８が表示されていない状態において、ＬＣＤ４６の表示画面に露出値やＩＳＯ感度等の各種設定値が重畳した画像が表示されており、且つ、選択されている機能の設定値が表示画面中の各種設定値に含まれていない場合も、機能ガイド６５及び設定値６８の表示が必要であると判定される（Ｓ９：ＹＥＳ）。
【００５５】
図３（ｂ）に示すように、ＬＣＤ４６の表示画面に複数の所定の機能（例えば、ＩＳＯ感度調整機能や露出調整機能等）の現在の設定値が表示されており、且つ、機能選択ダイヤル３３により、表示画面に表示されていない機能（例えば、ローパスフィルタ機能やＬＣＤ輝度調整機能等）が選択されている場合、ユーザは、ＬＣＤ４６の表示画面を見ても、選択されている機能の現在の設定値を把握することができない。この場合は、処理ステップＳ９で機能ガイド６５及び設定値６８の表示が必要であると判定される。
【００５６】
一方、ＬＣＤ４６の表示画面に機能ガイド６５及び設定値６８が表示されていない状態において、表示画面に機能選択ダイヤル３３を用いて選択されている機能の設定値が表示されている場合に、機能ガイド６５の表示が不要であると判定される（Ｓ９：ＮＯ）。
【００５７】
例えば、撮影待機状態で、図３（ｂ）や図３（ｃ）に示すように、ＬＣＤ４６の表示画面に複数の所定の機能（例えば、ＩＳＯ感度調整機能や露出調整機能等）の現在の設定値が表示されており、且つ、機能選択ダイヤル３３により、表示画面に表示されている機能機能（例えば、ＩＳＯ感度調整機能）が選択されている場合、ユーザは、ＬＣＤ４６の表示画面を見ることにより、選択されている機能の現在の設定値を把握することができる。この場合は、処理ステップＳ９で機能ガイド６５及び設定値６８の表示が不要であると判定される。  
【００５８】
本処理ステップＳ９で、一方、機能ガイド６５の表示が不要であると判定（Ｓ９：ＮＯ）された場合、処理ステップＳ１０に進む。
【００５９】
［図６のＳ１０（機能ガイド６５の表示判定）］
本処理ステップＳ１０は、処理ステップＳ９にて機能ガイド６５の表示が不要であると判定された場合（Ｓ９：ＮＯ）に実行される。本処理ステップＳ１０では、ＬＣＤ４６の表示画面に機能ガイド６５が表示されているか否かが判定される。ＬＣＤ４６の表示画面に機能ガイド６５が表示されていないと判定された場合は（Ｓ１０：ＮＯ）、処理ステップＳ１に戻る。
【００６０】
［図６のＳ１１（機能ガイド６５の非表示処理）］
本処理ステップＳ１１は、処理ステップＳ１０にてＬＣＤ４６の表示画面に機能ガイド６５が表示されていると判定された場合（Ｓ１０：ＹＥＳ）に実行される。本処理ステップＳ１１では、ＬＣＤ４６の表示画面に表示されている機能ガイド６５、及び、選択されている機能の設定値６８が非表示となる。
【００６１】
［図６のＳ１２（タイマー中断処理）］
本処理ステップＳ１２では、カウント中のタイマーが中断された後、処理ステップＳ１に戻る。
【００６２】
［図６のＳ１３（機能ガイド６５非表示操作の判定）］
本処理ステップＳ１３は、処理ステップＳ８にて設定選択ダイヤル３４が操作されていないと判定された場合（Ｓ８：ＮＯ）に実行される。本処理ステップＳ１３では、機能ガイド６５を非表示とする操作が行われたか否かが判定される。例えば、ユーザが、機能選択ダイヤル３３及び設定選択ダイヤル３４以外の他の操作部３２（例えば、レリーズスイッチ３２ｂ）を操作した場合、そのユーザは他の操作部３２を用いた操作（例えば、静止画像の撮影）を行っているため、機能ガイド６５を表示しておく必要性は低くなっていると考えられる。そのため、本処理ステップＳ１３では、操作部３２が操作された場合に、機能ガイド６５を非表示とする操作が行われたと判定される。機能ガイド６５を非表示とする操作が行われたと判定された場合（Ｓ１３：ＹＥＳ）、処理ステップＳ１０に進む。
【００６３】
なお、処理ステップＳ１３では、複数の操作部３２のうち、何れの操作部３２が操作された場合も、機能ガイド６５を非表示とする操作が行われたと判定されなくてもよい。例えば、ユーザが特定の操作部３２を操作した際に、機能ガイド６５が表示されていたとしても、当該操作に対応した処理に支障が無い場合は、機能ガイド６５を非表示とする操作が行われていないと判定されてもよい。特定の操作部３２の操作に対応した処理に支障が無い場合は、具体的には、特定の操作部３２が操作されると、ＬＣＤ４６の表示画面のうち、機能ガイド６５が表示されている領域以外の領域の表示内容が変更される場合である。
【００６４】
［図６のＳ１４（機能ガイド６５の表示判定）］
本処理ステップＳ１４は、処理ステップＳ１３にて機能ガイド６５を非表示とする操作が行われていないと判定された場合（Ｓ１３：ＮＯ）に実行される。本処理ステップＳ１４では、ＬＣＤ４６の表示画面に機能ガイド６５が表示されているか否かが判定される。ＬＣＤ４６の表示画面に機能ガイド６５が表示されていないと判定された場合は（Ｓ１４：ＮＯ）、処理ステップＳ１に戻る。
【００６５】
［図６のＳ１５（タイマー終了判定）］
本処理ステップＳ１５は、処理ステップＳ１４にてＬＣＤ４６の表示画面に機能ガイド６５が表示されていると判定された場合（Ｓ１４：ＹＥＳ）に実行される。本処理ステップＳ１５では、タイマー（３秒間のカウント）処理が終了したか否かが判定される。タイマー処理が終了していないと判定された場合は（Ｓ１５：ＮＯ）、処理ステップＳ１に戻る。
【００６６】
［図６のＳ１６（機能ガイド６５の表示終了処理）］
本処理ステップＳ１６は、処理ステップＳ１５にて、タイマー処理が終了したと判定された場合（Ｓ１５：ＹＥＳ）に実行される。本処理ステップＳ１６では、ＬＣＤ４６の表示画面に表示されている機能ガイド６５、及び、選択されている機能の設定値６８が非表示となる。
【００６７】
このように、本実施形態では、機能選択ダイヤル３３が操作されると、所定時間、ＬＣＤ４６の表示画面に機能ガイド６５が表示される。機能ガイド６５には、選択可能な複数の機能を示す情報が含まれている。また、現在選択されている機能を示す情報が強調して表示される。これにより、ユーザは、機能選択ダイヤル３３の天面にプリントされた記号を見ることなく、現在選択されている機能及びどの機能が選択可能かを容易に把握できる。また、機能ガイド６５には、選択可能な機能を示す情報が、機能選択ダイヤル３３の天面にプリントされた記号に対応する順序で表示されるため、ユーザは、選択されている機能を変更するために、機能選択ダイヤル３３を、どの程度及びどちらの方向に回転させればよいかを容易に把握できる。
【００６８】
また、機能選択ダイヤル３３のポジション「Ｃ１」〜「Ｃ３」に割り当てられる機能が変更されると、機能ガイド６５に表示される情報が、割り当てられた機能を示す情報に変更される。そのため、機能選択ダイヤル３３のポジション「Ｃ１」〜「Ｃ３」に割り当てられる機能が変更されたとしても、ユーザは、機能ガイド６５を見ることにより、ポジション「Ｃ１」〜「Ｃ３」にどの機能が割り当てられているかを容易に把握することができる。
【００６９】
また、本実施形態では、機能選択ダイヤル３３が操作されると、所定時間（本実施形態では３秒間）、ＬＣＤ４６の表示画面に選択された機能の現在の設定値６８が表示される。そのため、ユーザは、選択されている機能を変更するだけで、各機能の現在の設定値を容易に把握できる。
【００７０】
また、本実施形態では、設定選択ダイヤル３４や機能選択ダイヤル３３の操作時に、ＬＣＤ４６の表示画面に、選択されている機能の選択可能な複数の設定値を表示させることができる。これにより、ユーザは、各機能における選択可能な設定値を容易に把握できる。
【００７１】
また、本実施形態では、機能選択ダイヤル３３が操作された時に表示される機能ガイド６５は、所定時間表示され続ける。この所定時間は、ユーザによって機能ガイド６５に含まれる複数の機能を示す情報を認識可能な時間（本実施形態では３秒間）に設定されている。また、機能ガイド６５は、機能選択ダイヤル３３が操作されてから所定時間の経過後に非表示となるため、機能ガイド６５が表示画面に表示されているスルー画６０や各種設定値と重なってしまい、ユーザにとってスルー画６０や各種設定値を確認し辛くなることが防止される。
【００７２】
また、機能選択ダイヤル３３は、ユーザが筐体１００を保持しながら操作し易い位置に設けられている。本実施形態では、機能選択ダイヤル３３は筐体１００の上部に設けられているため、ユーザは、機能選択ダイヤル３３を指で容易に操作することができる。なお、機能選択ダイヤル３３は、筐体１００の前面や側面等の背面以外の位置に設けられていてもよい。また、筐体１００の背面にはＬＣＤ４６が配置されている。そのため、機能選択ダイヤル３３を背面以外の位置に配置することにより、ユーザがＬＣＤ４６を確認しながら機能選択ダイヤル３３を操作する際に、ユーザの手によってＬＣＤ４６の表示画面が覆われてしまい、ユーザにとってＬＣＤ４６の表示画面が確認し辛くなることを防止できる。
【００７３】
また、本実施形態では、設定選択ダイヤル３４も筐体１００の背面以外の位置に設けられている。そのため、ユーザがＬＣＤ４６を確認しながら設定選択ダイヤル３４を操作する際に、ユーザの手によってＬＣＤ４６の表示画面が覆われてしまい、ユーザにとってＬＣＤ４６の表示画面が確認し辛くなることを防止できる。
【００７４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本発明の実施形態に含まれる。
【００７５】
（変形例）
上述の実施形態において、機能選択ダイヤル３３を用いて選択可能な機能の数が増えると、機能選択ダイヤル３３の天面に各機能を示す記号をプリントしにくくなる。そのため、別の実施形態では、機能選択ダイヤル３３の天面には情報がプリントされず、機能選択ダイヤル３３を所定角度だけ回転させる毎に、選択される機能が順次切り替わるように構成されていてもよい。この場合、筐体１００の上部に指標３３ａを設ける必要はない。
【００７６】
また、図２（ｃ）に示される機能選択ダイヤル３３は、６つの機能の何れかを選択するために使用され、且つ、各機能に対応した６つの記号（「ＡＦ」、「ＡＥ」、「ＷＢ」、「Ｃ１」、「Ｃ２」、「Ｃ３」）の何れかが指標３３ａと隣り合う位置で回転停止可能であるが、本実施形態はこの構成に限定されない。詳しくは、機能選択ダイヤル３３によって選択可能な機能の数と、機能選択ダイヤル３３が回転停止可能な角度の数は、同じでなくてもよい。例えば、機能選択ダイヤル３３を所定角度ずつ回転させる毎に選択される機能が順次切り替わる場合、機能選択ダイヤル３３によって選択可能な機能の数は、機能選択ダイヤル３３が回転停止可能な角度の数と異なっていてもよい。
【００７７】
また、図４（ａ）に示す例では、ＬＣＤ４６の表示画面の下側に機能ガイド６５が表示され、表示画面の上側に設定値６８が表示されるが、本実施形態はこれに限定されない。機能ガイド６５及び設定値６８は、ＬＣＤ４６の表示画面中であれば、表示される位置や大きさは限定されない。
【００７８】
また、機能選択ダイヤル３３によって選択可能な機能の一つが、設定選択ダイヤル３４の操作を無効化する設定無効化機能を含んでいてもよい。この場合、機能選択ダイヤル３３により設定無効化機能が選択されている場合、設定選択ダイヤル３４が操作されたとしても、何れの機能の設定値も変更されない。これにより、ユーザが意図せずに設定選択ダイヤル３４を操作（誤操作）してしまった場合に、各機能の設定値が変更されてしまうことが防止される。
【００７９】
また、選択可能な機能の数が比較的少ない場合、筐体１００の上部には、回転可能な円柱状（又は円盤状）の機能選択ダイヤル３３の代わりに、位置を変更可能な機能選択レバー、或いは、選択可能な機能と同数の機能選択ボタンが設けられていてもよい。筐体１００に機能選択レバーが設けられている場合、機能選択レバーの位置が変更されると、その位置に対応した機能が選択される。また、筐体１００に複数の機能選択ボタンが設けられている場合、複数の機能選択ボタンの何れかが押されると、その機能選択ボタンに対応した機能が選択される。このように、撮影装置１が機能選択レバー又は機能選択ボタンを有している場合においても、これらが操作されると、ＬＣＤ４６の表示画面に機能ガイド６５が表示される。
【００８０】
また、撮影装置１には、設定選択ダイヤル３４の代わりに、例えば、設定値を変更する設定変更ボタンが設けられていてもよい。例えば、撮影装置１に一つの設定変更ボタンが設けられている場合、設定変更ボタンが押される毎に選択される設定値が順次切り替わる。また、撮影装置１に二つの設定変更ボタンが設けられている場合、一つの設定変更ボタンは設定値を順次切り替えるために使用され、もう一つの設定変更ボタンは設定値を逆の順序で順次切り替えるために使用される。
【００８１】
また、図６に示すフローチャートの処理ステップＳ９において、常に、機能ガイド６５及び設定値６８の表示が必要と判定（Ｓ９：ＹＥＳ）されてもよい。これにより、設定選択ダイヤル３４を操作された直後は、常に、機能ガイド６５、及び、選択されている機能の設定値６８が表示されるため、ユーザは、現在、設定値を変更していること（即ち、設定選択ダイヤル３４が操作されていること）を把握しやすくなる。
【００８２】
また、図６に示すフローチャートでは、機能選択ダイヤル３３が操作された場合の処理と設定選択ダイヤル３４が操作された場合とで、撮影装置１の処理が異なるが、本発明の実施形態の処理はこれに限定されない。例えば、図６に示すフローチャートにおいて、設定選択ダイヤル３４が操作された場合（Ｓ８：ＹＥＳ）、処理ステップＳ４が実行されてもよい。この場合、機能選択ダイヤル３３と設定選択ダイヤル３４の何れか一方が操作されれば、機能ガイド６５及び設定値６８の表示（Ｓ５）、又は、機能ガイド６５及び設定値６８の表示の延長（Ｓ７）が行われる。
【００８３】
また、上述の実施形態では、機能選択ダイヤル３３が操作された場合の処理と、設定選択ダイヤル３４が操作された場合の処理が、図６に示す同一のフローチャートに基づいて実行されるが、本発明の実施形態の処理はこれに限定されない。例えば、機能選択ダイヤル３３の操作された場合と設定選択ダイヤル３４の操作された場合とで、別の処理が実行されてもよい。
【００８４】
また、図６に示すフローチャートでは、機能選択ダイヤル３３が操作された場合と設定選択ダイヤル３４が操作された場合に、処理ステップＳ５で機能ガイド６５が表示されるが、本発明の実施形態の処理はこれに限定されない。例えば、設定選択ダイヤル３４が操作された場合は、図５（ｂ）や図５（ｃ）に示すように、ＬＣＤ４６の表示画面には現在の設定値６８が表示され、機能ガイド６５が表示されなくてもよい。
【００８５】
また、上述の実施形態では、機能選択ダイヤル３３又は設定選択ダイヤル３４が操作されると機能ガイド６５及び設定値６８が表示されるが、この機能ガイド６５及び設定値６８が表示される条件はあくまで一例である。例えば、機能選択ダイヤル３３又は設定選択ダイヤル３４が操作された場合に機能ガイド６５及び設定値６８が表示されるか否かは、撮影装置１の設定に応じて切り替え可能であってもよい。詳しくは、撮影装置１がダイヤル操作に応じて機能ガイド６５及び設定値６８を表示するように設定されている場合、機能選択ダイヤル３３又は設定選択ダイヤル３４が操作されると機能ガイド６５及び設定値６８が表示される。一方、撮影装置１が機能ガイド６５及び設定値６８を表示しないように設定されている場合、機能選択ダイヤル３３又は設定選択ダイヤル３４が操作されたとしても機能ガイド６５及び設定値６８は表示されない。
【００８６】
また、図６に示すフローチャートの処理ステップＳ１０において、ＬＣＤ４６の表示画面に機能ガイド６５が表示されていないと判定された場合（Ｓ１０：ＮＯ）、処理ステップＳ１に戻らずに、図５（ｂ）や図５（ｃ）に示すように、機能ガイド６５は表示されない状態で、選択されている設定値６８や選択されている機能を示す情報６９が表示されてもよい。この場合、設定値６８や機能を示す情報６９が表示された後に処理ステップＳ６に進んでタイマー開始処理が実行される。この設定値６８や機能を示す情報６９は、処理ステップＳ１１の機能ガイド６５の非表示処理や、処理ステップＳ１６の機能ガイド６５の表示終了処理により、非表示となる。
【００８７】
また、上述の実施形態では、機能ガイド６５や設定値６８はＬＣＤ４６に表示されるが、本実施形態はこの構成に限定されない。例えば、撮影装置１は、光学ファインダ２０の代わりに、液晶画面を有する電子ファインダを有していてもよい。この場合、機能ガイド６５や設定値６８は、電子ファインダが有する液晶画面に表示されてもよい。
【００８８】
また、上述の実施形態では、機能選択ダイヤル３３の天面に選択可能な機能を示す記号がプリントされているが、本実施形態はこの構成に限定されない。例えば、選択可能な機能を示す記号は、機能選択ダイヤル３３の外周面にプリントされていてもよい。
【符号の説明】
【００８９】
１  撮影装置
１０  撮影レンズ系
１１、１２  撮影レンズ
１３  絞り
１４  ミラー
１５  フォーカルプレーンシャッタ
１６  撮像素子
１７  ペンタプリズム
１８  拡散板
１９  接眼レンズ
２０  光学ファインダ
２１  レンズ制御回路
２２  絞り駆動回路
２３  ミラー駆動回路
２４  シャッタ駆動回路
２５  ＡＦセンサ
２６  測光センサ
２７  Ａ／Ｄ変換回路
３１  ＣＰＵ
３２  操作部
３２ａ  電源スイッチ
３２ｂ  レリーズスイッチ
３２ｃ  操作キー
３３  機能選択ダイヤル
３３ａ  指標
３４  設定選択ダイヤル
４１  ＤＳＰ
４２  バッファメモリ
４３  カードインタフェース
４４  モニタインタフェース
４５  ＬＣＤ制御回路
４６  ＬＣＤ
５０  メモリカード
６０  スルー画
６５  機能ガイド
６６  枠線
６７  枠線
６８  設定値
６９  機能を示す情報
７０  設定値を示す情報
１００  筐体
【図１】
2018116237.tif 000003
【図２】
2018116237.tif 000004
【図３】
2018116237.tif 000005
【図４】
2018116237.tif 000006
【図５】
2018116237.tif 000007
【図６】
2018116237.tif 000008